(57)【要約】【課題】  端末機に別のＤＭ(Ｄｉａｇｎｏｓｔｉｃ Ｍｏｎｉｔｏｒ）を接続せずに端末機内のＡＧＣ増幅器のＰＤＭ(ｐｕｌｓｅ Ｄｅｎｓｉｔｙ Ｍｏｄｕｌａｔｉｏｎ)値を利用して端末機のＧＰＳ受信感度を測定するＧＰＳ受信感度の測定方法及びＧＰＳ受信感度測定機能付き端末機を提供すること。【解決手段】  本発明は、端末機のＧＰＳ信号値を測定するステップと、ＧＰＳ受信感度を、上記ＧＰＳ信号値を利用して端末機のディスプレイ部にディスプレイするステップとを備える端末機のＧＰＳ受信感度の測定方法を備える。【選択図】  図３
2005073258.tif 000002
【特許請求の範囲】
【請求項１】
端末機のＧＰＳ信号値を測定するステップと、
ＧＰＳ受信感度を、前記ＧＰＳ信号値を利用して端末機のディスプレイ部にディスプレイするステップと
を備えることを特徴とする端末機のＧＰＳ受信感度の測定方法。
【請求項２】
前記ＧＰＳ信号値は、ＡＧＣ(ａｕｔｏ ｇａｉｎ ｃｏｎｔｒｏｌ)増幅器に入力されるＰＤＭ(Ｐｕｌｓｅ Ｄｅｎｓｉｔｙ Ｍｏｄｕｌａｔｉｏｎ)値であることを特徴とする請求項１に記載の端末機のＧＰＳ受信感度の測定方法。
【請求項３】
前記ＧＰＳ信号値は、ＧＰＳベースバンド信号(ＧＰＳ ｂａｓｅｂａｎｄ ｓｉｇｎａｌ)値であることを特徴とする請求項１に記載の端末機のＧＰＳ受信感度の測定方法。
【請求項４】
前記ＧＰＳ信号値を予め端末機の格納部に格納されたＧＰＳ信号基準値と比較するステップと、
比較結果を利用して端末機のＧＰＳ受信感度をディスプレイするステップと
をさらに備えることを特徴とする請求項１に記載の端末機のＧＰＳ受信感度の測定方法。
【請求項５】
端末機のＧＰＳ信号を検出するステップと、
検出されたＧＰＳ信号を分析するステップと、
分析結果を利用して端末機のＧＰＳ受信感度を端末機のディスプレイ部にディスプレイするステップと
を備えることを特徴とする端末機のＧＰＳ受信感度の測定方法。
【請求項６】
前記ＧＰＳ信号値は、ＡＧＣ増幅器に入力されるＰＤＭ値であることを特徴とする請求項５に記載の端末機のＧＰＳ受信感度の測定方法。
【請求項７】
前記分析するステップは、前記ＧＰＳ信号値を予め端末機の格納部に格納されていたＧＰＳ信号基準値と比較するステップを備えることを特徴とする請求項５に記載の端末機のＧＰＳ受信感度の測定方法。
【請求項８】
端末機のＧＰＳベースバンド信号を検出するステップと、
前記検出されたＧＰＳベースバンド信号を分析するステップと、
分析結果を利用して端末機のＧＰＳ受信感度を端末機のディスプレイ部にディスプレイするステップと
を備えることを特徴とする端末機のＧＰＳ受信感度の測定方法。
【請求項９】
前記ＧＰＳベースバンド信号値は、ＡＧＣ増幅器に入力されるＰＤＭ値であることを特徴とする請求項８に記載の端末機のＧＰＳ受信感度の測定方法。
【請求項１０】
ＧＰＳ信号値を測定する調整部と、
前記ＧＰＳ信号値を利用してＧＰＳ受信感度をディスプレイするディスプレイ部と
を備えることを特徴とする端末機。
【請求項１１】
ＧＰＳ信号基準値を格納する格納部を備え、前記調整部はＧＰＳ信号基準値とＧＰＳ信号値とを比較し、その結果を利用してＧＰＳ受信感度を端末機のディスプレイ部にディスプレイすることを特徴とする請求項１０に記載の端末機。
【請求項１２】
前記ＧＰＳ信号値は、ＡＧＣ増幅器に入力されるＰＤＭ値であることを特徴とする請求項１０に記載の端末機。
【請求項１３】
アナログ信号をデジタル信号に変換するアナログ-デジタル変換器と、
前記アナログ-デジタル変換器の入力信号の強度を測定し、その測定された値によってＰＤＭ値を得る調整部と、
前記ＰＤＭ値によって前記アナログ-デジタル変換器に入力される信号の大きさを一定に保持するために利得を調整するＡＧＣ増幅器と、
ＰＤＭ値を利用してＧＰＳ受信感度をディスプレイするディスプレイ部と
を備えることを特徴とするＧＰＳ受信感度を測定する機能付き端末機。
【請求項１４】
ＧＰＳ受信感度基準値を格納する格納部を含んでおり、前記調整部はＧＰＳ信号値と前記ＧＰＳ受信感度基準値とを比較し、その比較結果を利用して端末機のＧＰＳ受信感度をディスプレイ部にディスプレイすることを特徴とする請求項１３に記載のＧＰＳ受信感度を測定する機能付き端末機。
【請求項１５】
端末機のＧＰＳ信号値を検出し、前記検出されたＧＰＳ信号値を分析する調整部と、
前記調整部の分析結果を利用して端末機のＧＰＳ受信感度をディスプレイするディスプレイ部と
を備えることを特徴とする端末機。
【請求項１６】
前記ＧＰＳ信号値は、ＡＧＣ増幅器に入力されるＰＤＭ値であることを特徴とする請求項１５に記載の端末機。
【請求項１７】
端末機のＧＰＳベースバンド信号を検出し、検出されたＧＰＳベースバンド信号を分析する調整部と、
前記分析結果を利用して端末機のＧＰＳ受信感度をディスプレイするディスプレイ部と
を備えることを特徴とする端末機。
【請求項１８】
前記ＧＰＳベースバンド信号は、ＡＧＣ増幅器に入力されるＰＤＭ値であることを特徴とする請求項１７に記載の端末機。
【発明の詳細な説明】
【技術分野】
【０００１】
本発明は、ＧＰＳ受信感度の測定方法及びＧＰＳ受信感度測定機能付き移動通信端末機に関し、特に、携帯用端末機に搭載されているＧＰＳ機能の受信感度性能を測定してディスプレイ部にディスプレイするＧＰＳ受信感度の測定方法及びＧＰＳ受信感度測定機能付き移動通信端末機に関する。
【背景技術】
【０００２】
図１は、従来のＧＰＳ受信感度の測定方法を示す動作フローチャートであって、このような従来のＧＰＳ受信感度の測定方法は、ＧＰＳ機能を搭載した端末機を所持して実際距離などフィールドに出るステップ(Ｓ１０１)と、端末機のＧＰＳ機能を実行するステップ(Ｓ１０２)と、ＧＰＳサービス(例えば、地図サービス)が良好に行われるか否かを別の測定装置を利用して判断し、良好に行われる場合には、前過程を終了するステップ(Ｓ１０３)と、ＧＰＳサービスが良好に行われない場合にはデバッグの過程を行った後、フィールドに出るステップ(Ｓ１０１）へ戻るステップ(Ｓ１０４)を含む。
【０００３】
しかし、上述した従来のＧＰＳ受信感度の測定方法は、実際消費者の立場でテストするという長所があるのに対し、性能を数値で表現してどの程度の性能を出すのかは正確に把握し難く、またデバッグ(ｄｅｂｕｇｇｉｎｇ)の過程が必要である時毎に外部環境に端末機を所持して出なければならないので、非常に煩雑であるという問題点がある。
【発明の開示】
【発明が解決しようとする課題】
【０００４】
上記問題点に鑑みてなされた本発明は、端末機に別のＤＭ(Ｄｉａｇｎｏｓｔｉｃ Ｍｏｎｉｔｏｒ）を接続せずにも端末機内のＡＧＣ増幅器のＰＤＭ(ｐｕｌｓｅ Ｄｅｎｓｉｔｙ Ｍｏｄｕｌａｔｉｏｎ)値を利用して端末機のＧＰＳ受信感度を測定するＧＰＳ受信感度の測定方法及びＧＰＳ受信感度測定機能付き端末機を提供することにその目的がある。
【０００５】
また、本発明は、ＧＰＳ受信感度を測定し、これをディスプレイ部にディスプレイするＧＰＳ受信感度の測定方法及びＧＰＳ受信感度測定機能付き端末機を提供するのに他の目的がある。
【０００６】
また本発明は、別のＤＭを利用せずに端末機のＡＧＣ増幅器のＰＤＭ値によってＧＰＳ受信感度を測定し、測定されたＧＰＳ受信感度を端末機のディスプレイ部にディスプレイするＧＰＳ受信感度の測定方法及びＧＰＳ受信感度測定機能付き端末機を提供するのにさらに他の目的がある。
【課題を解決するための手段】
【０００７】
上記目的を達成するため、本発明の端末機のＧＰＳ受信感度の測定方法は、端末機のＧＰＳ信号値を測定するステップと、ＧＰＳ受信感度を、前記ＧＰＳ信号値を利用して端末機のディスプレイ部にディスプレイするステップとを備える。
【０００８】
また、本発明の端末機のＧＰＳ受信感度の測定方法は、端末機のＧＰＳ信号を検出するステップと、検出されたＧＰＳ信号を分析するステップと、分析結果を利用して端末機のＧＰＳ受信感度を端末機のディスプレイ部にディスプレイするステップとを備える。
【０００９】
また、本発明の端末機のＧＰＳ受信感度の測定方法は、端末機のＧＰＳベースバンド信号を検出するステップと、前記検出されたＧＰＳベースバンド信号を分析するステップと、分析結果を利用して端末機のＧＰＳ受信感度を端末機のディスプレイ部にディスプレイするステップとを備える。
【００１０】
また、ＧＰＳ信号値を測定する調整部と、前記ＧＰＳ信号値を利用してＧＰＳ受信感度をディスプレイするディスプレイ部とを備える端末機を提供する。
【００１１】
また、アナログ信号をデジタル信号に変換するアナログ-デジタル変換器と、前記アナログ-デジタル変換器の入力信号の強度を測定し、その測定された値によってＰＤＭ値を得る調整部と、前記ＰＤＭ値によって前記アナログ-デジタル変換器に入力される信号の大きさを一定に保持するために利得を調整するＡＧＣ増幅器と、ＰＤＭ値を利用してＧＰＳ受信感度をディスプレイするディスプレイ部とを備えるＧＰＳ受信感度を測定する機能付き端末機を提供する。
【００１２】
また、端末機のＧＰＳ信号値を検出し、前記検出されたＧＰＳ信号値を分析する調整部と、前記調整部の分析結果を利用して端末機のＧＰＳ受信感度をディスプレイするディスプレイ部とを備える端末機を提供する。
【００１３】
また、端末機のＧＰＳベースバンド信号を検出し、検出されたＧＰＳベースバンド信号を分析する調整部と、前記分析結果を利用して端末機のＧＰＳ受信感度をディスプレイするディスプレイ部とを備える端末機を提供する。
【発明の効果】
【００１４】
本発明は、端末機内に搭載されたＡＧＣ増幅器のＰＤＭ(Ｐｕｌｓｅ Ｄｅｎｓｉｔｙ Ｍｏｄｕｌａｔｉｏｎ)値を利用して端末機のＧＰＳ受信感度を測定する。したがって、端末機に別のＤＭ(Ｄｉａｇｎｏｓｔｉｃ Ｍｏｎｉｔｏｒ）を接続せずにも、ＧＰＳ受信感度を測定でき、また、ＧＰＳ受信感度を移動通信端末機のＬＣＤを通して確認できるため、ＧＰＳ性能を確認するのに非常に便利な長所がある。
【発明を実施するための最良の形態】
【００１５】
以下、本発明の最も好ましい実施形態を添付する図面を参照しながら説明する。
【００１６】
図２は、本発明の一実施形態によってＧＰＳ受信感度を測定する方法を示す動作フローチャートであって、これに関して説明すれば次の通りである。
【００１７】
まず、ユーザが端末機をＧＰＳモードで動作させて受信感度を測定する(Ｓ２０１)。端末機はＡＧＣ(ａｕｔｏ ｇａｉｎ ｃｏｎｔｒｏｌ)増幅器のＰＤＭ(ｐｕｌｓｅ ｄｅｎｓｉｔｙ ｍｏｄｕｌａｔｉｏｎ)値を一定時間の間隔で測定し、測定されたＰＤＭ値を格納する(Ｓ２０２)。上記ＰＤＭ値はＧＰＳ信号の強度によって変化し、本発明ではこのような特性を利用してＧＰＳ受信感度を測定する。上記ＰＤＭ値を格納した後、測定されて格納されたＰＤＭ値の平均値を求める(Ｓ２０３)。上記測定された平均値は移動通信端末機のＧＰＳ受信感度として移動通信端末機のディスプレイ部にディスプレイされる(Ｓ２０４)。この時上記平均ＰＤＭ値は数字、線グラフあるいは棒グラフなどのような色々な形態でディスプレイすることができる。
【００１８】
図３は、本発明の一実施形態に係るＧＰＳ受信感度を測定する移動通信端末機の回路を示すブロック図であって、これに関し説明すれば次の通りである。
【００１９】
このような上記移動通信端末機の回路は、複数個のＡＧＣ(Ａｕｔｏｍａｔｉｃ Ｇａｉｎ Ｃｏｎｔｒｏｌ)増幅器３１１、３１２、スイッチ部３２０、ＶＣＯ(Ｖｏｌｔａｇｅ Ｃｏｎｔｒｏｌ Ｏｓｃｉｌｌａｔｏｒ)３３０、分周器３４０、複数個のミキサー３５１、３５２、複数個のＬＰＦ(Ｌｏｗ Ｐａｓｓ Ｆｉｌｔｅｒ)３６１〜３６４、複数個の増幅器３７１、３７２、複数個のＡＤＣ(Ａｎａｌｏｇ ｔｏ Ｄｉｇｉｔａｌ Ｃｏｎｖｅｒｔｅｒ)３８１、３８２、Ｑｕａｌｃｏｍｍ Ｉｎｃｏｒｐｏｒａｔｅｄ.のＭＳＭ(Ｍｏｂｉｌｅ Ｓｔａｔｉｏｎ Ｍｏｄｅｍ）のような調整部３９０及びＲＣ ＬＰＦ ３９１を含む。
【００２０】
複数個のＡＧＣ増幅器３１１、３１２は、ＣＤＭＡ ＩＦ入力信号またはＧＰＳ ＩＦ入力信号を受け取って増幅する。またＭＳＭ ３９０のＰＤＭ信号によって複数個のＡＧＣ増幅器３１１、３１２の利得を可変的に調整する役割を担う。
【００２１】
ここで、上記複数個のＡＧＣアンプ３１１、３１２の動作原理に関して説明すれば次の通りである。
【００２２】
ＡＧＣ増幅器３１１、３１２はＡＤＣ３８１、３８２から入力される信号が一定の大きさを保持するように利得を調整する。すなわち、ＭＳＭ３９０はＡＤＣ３８１、３８２から入力される信号の大きさを上記信号がＡＤＣ３８１、３８２に入力される前に測定する。そして、測定された信号の大きさによってＰＤＭ値を得る。上記ＰＤＭ値はＲＣ ＬＰＦ３９１に転送されて、ＤＣ値に変換される。上記ＤＣ値は再度ＡＧＣ増幅器３１１、３１２にＡＧＣ制御ピンを通じてフィードバックされる。結果的にＡＧＣ増幅器３１１、３１２は上記ＤＣ値を受け取ってＡＤＣ３８１、３８２の入力信号の大きさを一定に保持するため、ＤＣ値によって利得を調整する。もし、ＡＤＣ３８１、３８２に小さな信号が入力される場合、ＡＧＣ３１１、３１２は大きな利得を有するように調整され、大きな信号が入力される場合には、ＡＧＣ３１１、３１２は、小さな利得を有するように調整されて常に一定の大きさの信号が入力される。
【００２３】
上述したように、ＭＳＭ３９０のＰＤＭ値によってＡＧＣ増幅器３１１、３１２の利得が変化し、本発明ではこのような現象を利用してＧＰＳ受信感度を測定するようになる。
【００２４】
また、スイッチ部３２０は、ＣＤＭＡモードであるか、またはＧＰＳモードであるかにより上記複数個のＡＧＣ３１１、３１２の出力信号の中で、一つの信号に導通経路を提供するようにスイッチングする役割を担う。
【００２５】
一方、ＶＣＯ３３０は、ローカル周波数信号を生成し、上記ローカル周波数信号を後述する分周器３４０に出力する役割を担う。
【００２６】
また、分周器３４０は、上記ＶＣＯ３３０から出力された上記ローカル周波数信号を分周して複数個の分周周波数信号として後述する複数個のミキサー３５１、３５２に出力する役割を担う。
【００２７】
一方、複数個のミキサー３５１、３５２は、上記スイッチ部３２０から出力された信号と上記分周器３４０から出力された信号を混合した後、後述する複数個のＬＰＦ３６１〜３６４に出力する役割を担う。
【００２８】
また、複数個のＬＰＦ３６１〜３６４は、上記複数個のミキサー３５１、３５２からの出力信号を受け取り、ＣＤＭＡモードまたはＧＰＳモードにともなう低域通過濾波機能を行う役割を担う。
【００２９】
一方、複数個の増幅器３７１、３７２は、上記複数個のＬＰＦ３６１〜３６４からの出力信号を増幅した後、増幅された信号を各々後述する複数個のＡＤＣ３８１、３８２に出力する役割を担う。
【００３０】
また、複数個のＡＤＣ３８１、３８２は、上記複数個の増幅器３７１、３７２から増幅された信号を受け取って、各々Ｉ(ＩＮ−ｐｈａｓｅ)及びＱ(Ｑｕａｄｒａｔｕｒｅ−ｐｈａｓｅ)信号であるデジタル信号に変換する役割を担う。
【００３１】
上述したように、本発明ではＡＤＣの入力信号の大きさによって変化するＰＤＭ値を格納部(図示せず)に格納し、格納されたＰＤＭ値等の平均値を計算する。また、上記計算された平均値はＧＰＳ受信感度として携帯用端末機のディスプレイ部にディスプレイされる。
【００３２】
また、本発明はＧＰＳ受信感度の基準値を決定するのにも用いることができる。
【００３３】
図４は本発明の一実施形態に係る無反射室でＧＰＳ受信感度を測定する方法を示した例示図であって、これに関し説明すれば次の通りである。
【００３４】
ＧＰＳ信号発生器にＧＰＳ信号を放射するアンテナ４１を接続して無反射室４０内に設置する。そして、移動通信端末機４２をその周辺に位置させる。端末機を精密なモータ(図示せず)を利用して一定時間間隔で好ましくは１５度間隔で回転させ、その時ごとに変わるＡＧＣ増幅器のＰＤＭ値を端末機内部に格納する。すなわち、端末機が一定角度回転した時毎に、ＰＤＭ値が測定されて端末機４２に格納される。この場合、上記ＰＤＭ値はＧＰＳ信号の強度によって変化される。端末機４２が３６０度回転を終えるまで上記ＰＤＭ値は測定されて格納される。端末機４２が３６０度回転を終えると、格納されたＰＤＭ値らの平均値を計算する。上記平均値はＧＰＳ受信感度基準値として決定され、このような基準値を利用して多様な位置での端末機のＧＰＳ受信感度を評価するのに用いることができる。したがって、無反射室内で測定された受信感度基準値を利用して多様な環境で正確にＧＰＳ受信感度を測定できる。このように測定された受信感度は端末機のＬＣＤディスプレイ部にディスプレイされる。
【００３５】
図５は、本発明の一実施形態に係るＧＰＳ受信感度基準値の測定方法を示す動作フローチャートであって、これに関し説明すれば次の通りである。
【００３６】
まず、ユーザが端末機のＧＰＳモードを選択してＧＰＳ受信感度を測定する(Ｓ５０１)。上記端末機を無反射室内部に一定角度間隔で回転するように設置する(Ｓ５０２)。本発明の一実施形態では、無反射室の内部にはＧＰＳ信号を放射するアンテナがＧＰＳ信号発生器と接続されて設置される。本発明の一実施形態では１５度間隔で上記端末機が回転する。
【００３７】
上記端末機はＧＰＳ信号の大きさによって変わるＡＧＣ増幅器のＰＤＭ値を測定しこれを格納する(Ｓ５０３)。
【００３８】
上記端末機が３６０度回転を終えると、測定されたＡＧＣ増幅器のＰＤＭ値等の平均値を計算する(Ｓ５０４)。上記計算された平均値をＧＰＳ受信感度基準値として決定する(Ｓ５０５)。
【００３９】
尚、本発明は、上記した本実施の形態に限られるものではなく、本発明の技術的思想から逸脱しない範囲内で多様に変更して実施することが可能である。
【図面の簡単な説明】
【００４０】
【図１】従来のＧＰＳ受信感度の測定方法を示す動作フローチャートである。
【図２】本発明の一実施形態によってＧＰＳ受信感度を測定する方法を示す動作フローチャートである。
【図３】本発明の一実施形態に係るＧＰＳ受信感度を測定する移動通信端末機の回路を示すブロック図である。
【図４】本発明の一実施形態に係る無反射室でＧＰＳ受信感度を測定する方法を示す例示図である。
【図５】本発明の一実施形態に係るＧＰＳ受信感度基準値の測定方法を示す動作フローチャートである。
【符号の説明】
【００４１】
３１１、３１２      複数個のＡＧＣ増幅器
３２０      スイッチ部
３３０      ＶＣＯ
３４０      分周器
３５１、３５２      複数個のミキサー
３６１〜３６４      複数個のＬＰＦ
３７１、３７２      複数個の増幅器
３８１、３８２      複数個のＡＤＣ
【図１】
2005073258.tif 000003
【図２】
2005073258.tif 000004
【図３】
2005073258.tif 000005
【図４】
2005073258.tif 000006
【図５】
2005073258.tif 000007